(57)【要約】【課題】手指の温度が直接伝わらないようにスワリング可能なワイングラスとして使用するほか、氷がグラスに接触する際に生じる心地よい音を効果的に響かせることができるウィスキー等のグラスとしても使用できる撹拌用グラスを提供する。【解決手段】グラス本体１の外底部中央に回転軸２を突設する。グラス本体１の外底部周囲縁３と該回転軸２とで支持されたグラス本体１がテーブル上で傾きながら回転するように設ける。回転軸２は略逆円錐形状を成し、該回転軸２の接触面を略球面状に形成する。外底部周囲縁３の接触面を断面略円弧形状に形成する。これら回転軸２の接触面と外底部周囲縁３の接触面とで支持されたグラス本体１の傾きが50゜〜70゜の範囲内になるように形成する。グラス本体１の底部内がわに、底部外周に沿って凹む環状凹部４を形成する。【選択図】図１
0003144965.tif 000002
【実用新案登録請求の範囲】
【請求項１】
グラス本体の外底部中央に回転軸を突設し、該回転軸のテーブル接触面とグラス本体の外底部周囲縁のテーブル接触面との二点でグラス本体が傾いた状態で支持されると共に、テーブル上に支持されたグラス本体に手を触れると外底部周囲縁に沿ってグラス本体が傾きながら回転するように形成されたことを特徴とする撹拌用グラス。
【請求項２】
前記回転軸は略逆円錐形状を成し、該回転軸の接触面を略半球面状に形成すると共に、前記外底部周囲縁の接触面を断面略円弧形状に形成し、これら回転軸の接触面と外底部周囲縁の接触面とで支持されたグラス本体の傾きが50゜〜70゜の範囲内になるように形成された請求項１記載の撹拌用グラス。
【請求項３】
前記グラス本体の底部内がわに、底部中央から前記回転芯に向かって凹む中央凹部と、底部外周に沿って凹む環状凹部とからなる撹拌凹部を形成した請求項１又は２記載の撹拌用グラス。
【請求項４】
底部中央に略逆円錐形状の回転軸を突設し、外底部周囲縁のテーブル接触面を断面略円弧形状に形成すると共に、底部内がわに、底部中央から前記回転芯に向かって凹む中央凹部と、底部外周に沿って凹む環状凹部とからなる撹拌凹部を形成し、これら回転軸と外底部周囲縁との接触面でテーブル上に支持されて60゜〜65゜の角度に傾きながら回転するように形成されたグラス本体と、該グラス本体と別体に形成され、前記回転軸を収納する収納凹部が上面に形成され、グラス本体の外底部周囲縁に沿ってグラス本体を略水平に載置せしめる載置用台とから成ることを特徴とする撹拌用グラス。
【考案の詳細な説明】
【技術分野】
【０００１】
本考案は、特殊な形状によりテーブル上で回転させることができる撹拌用グラスに係り、ワイングラスやウィスキー用グラスなどとして使用することが可能な撹拌用グラスに関する。
【背景技術】
【０００２】
従来、特殊な形状のグラスとして、グラス本体を支持する脚や台を除去すると共に、グラス本体の底面を略球面状に形成したものが提供されている。このブランデーグラスは、略球面状のグラス底面を手で覆い易くすることで、ブランデーを温め易くしようとするものである。
【０００３】
また、特許文献１には、ワイングラスから脚と台を取り除くと共に、グラス本体を二重構造にして断熱性が得られるようにしたワイングラスが記載されている。このワイングラスによると、安定性を図りながらグラスの断熱性を得ようとするものである。
【特許文献１】実用新案登録第３０６３０２１号公報
【考案の開示】
【考案が解決しようとする課題】
【０００４】
ところが、グラス本体の底面を略球面状に形成した従来のブランデーグラスでは、ブランデーを温めるには好適でも、冷えたワインを温めずに飲むには不都合な形状であった。特に、ワイングラスは、テイスティングをする際に、香りをよく立たせる為にグラスを回す動作、所謂、スワリングをする必要がある。ところが、略球状に形成した底面を持ちながらスワリングすると、グラス本体の底面を持つ手のひらの温度がワインを温めてしまうことになる。通常使用されているワイングラスは、このスワリングをする際に、手指の温度が直接伝わらないようにするため、脚付きのワイングラスが使用されている。
【０００５】
一方、特許文献１の如く、グラス本体を二重構造にして断熱性を得るようにしたワイングラスによると、グラス本体を持つ手の温度でワインを温める不都合は解消できるとしても、グラス本体を二重構造にするのでワイングラスの製造が極めて困難になるといった不都合が生じるものである。
【０００６】
しかも、グラス本体を二重構造にすると、ウィスキーをオンザロックや水割り等で楽しむときに、氷がグラスに接触する際に生じる心地よい音が消失する不都合がある。ウィスキーなどを好む者の中には、氷とウィスキーとを撹拌する際に、グラスに氷がぶつかる音なども楽しみの一つにしている愛好者も多い。
【０００７】
そこで、本考案は上述の課題を解消すべく案出されたもので、ワインをスワリングする際に、手指の温度が直接伝わらないようにするワイングラスとして使用できるほか、氷がグラスに接触する際に生じる心地よい音を効果的に響かせることができるウィスキー用グラスなどとしても使用でき、今までにない趣向でワインやウィスキー等を楽しむことができる撹拌用グラスの提供を目的とするものである。
【課題を解決するための手段】
【０００８】
上術の課題を解決するため、本考案の第１の手段は、グラス本体１の外底部中央に回転軸２を突設し、該回転軸２のテーブル接触面とグラス本体１の外底部周囲縁３のテーブル接触面との二点でグラス本体１が傾いた状態で支持されると共に、テーブル上に支持されたグラス本体１に手を触れると外底部周囲縁３に沿ってグラス本体１が傾きながら回転するように形成されたことにある。
【０００９】
第２の手段の前記回転軸２は略逆円錐形状を成し、該回転軸２の接触面を略半球面状に形成すると共に、前記外底部周囲縁３の接触面を断面略円弧形状に形成し、これら回転軸２の接触面と外底部周囲縁３の接触面とで支持されたグラス本体１の傾きが50゜〜70゜の範囲内になるように形成されている。
【００１０】
第３の手段は、前記グラス本体１の底部内がわに、底部中央から前記回転芯２に向かって凹む中央凹部４Ａと、底部外周に沿って凹む環状凹部４Ｂとからなる撹拌凹部４を形成したものである。
【００１１】
第４の手段は、底部中央に略逆円錐形状の回転軸２を突設し、外底部周囲縁３のテーブル接触面を断面略円弧形状に形成すると共に、底部内がわに、底部中央から前記回転芯２に向かって凹む中央凹部４Ａと、底部外周に沿って凹む環状凹部４Ｂとからなる撹拌凹部４を形成し、これら回転軸２と外底部周囲縁３との接触面でテーブル上に支持されて60゜〜65゜の角度に傾きながら回転するように形成されたグラス本体１と、該グラス本体１と別体に形成され、前記回転軸２を収納する収納凹部６が上面に形成され、グラス本体１の外底部周囲縁３に沿ってグラス本体１を略水平に載置せしめる載置用台５とから成ることを課題解消のための手段とする。
【考案の効果】
【００１２】
本考案の請求項１の如く、グラス本体１の外底部周囲縁３と回転軸２とでグラス本体１が傾きながらテーブル上で回転するように形成しているので、ワインが入った状態のグラス本体１を手指で付勢し、このグラス本体１をテーブル上で回転させると、グラス本体１の回転運動によって、手を離した状態でもスワリングすることが可能になった。また、グラス本体１に氷と飲み物とを入れて回転させると、効果的に撹拌することもできる。しかも、回転するグラス本体１は、使用者の遊び心をくすぐり、これまでにない楽しみを与える効果もある。
【００１３】
また、請求項２に記載の如く、略逆円錐形状を成した回転軸２と、断面略円弧形状に形成した外底部周囲縁３とにより、グラス本体１の回転を促進することが可能になる。また、グラス本体１の傾きが50゜〜70゜の範囲内になるように形成することで、回転時にワインやウィスキー等がこぼれ難くなる。
【００１４】
請求項３によると、前記グラス本体１の底部内がわに、底部中央から前記回転芯２に向かって凹む中央凹部４Ａと、底部外周に沿って凹む環状凹部４Ｂとからなる撹拌凹部４を形成したことで、グラス内で回転するワインのスワリング効果を更に高めることが可能になった。
【００１５】
更に、この撹拌凹部４により、氷を入れた場合の撹拌効果を高めることができるので、ウィスキー用のグラスとしても使用することができる。しかも、氷がグラスに接触する際に生じる心地よい音を効果的に響かせることが可能になる。
【００１６】
請求項４では、60゜〜65゜の角度に傾きながら回転するように形成されたグラス本体１と環状凹部４とによって、最適なスワリングを行うことができる。しかも、載置用台５にグラス本体１を載置することで、安定した通常のワイングラスとしての使用が可能になる。
【００１７】
更に、グラス本体１と載置用台５とを別体に形成しているので、ウィスキー用のグラスなど、氷を入れた飲み物のグラスとしても使用することができる。また、これらグラス本体１と載置用台５との形状や色彩等の組合せにより、今までにない趣向でワインやウィスキーなどを楽しむことができるものである。
【００１８】
このように、本考案によると、スワリングをする際に、手指の温度が直接伝わらないようにするワイングラスとして使用できるほか、氷がグラスに接触する際に生じる心地よい音を効果的に響かせることができるウィスキー等のグラスとしても使用でき、今までにない趣向でワインやウィスキー等を楽しむことができるなどといった実用上有益な種々の効果を奏するものである。
【考案を実施するための最良の形態】
【００１９】
本考案の最良の形態は、底部中央に略逆円錐形状の回転軸２を突設し、外底部周囲縁３のテーブル接触面を断面略円弧形状に形成する。底部内がわに、底部中央から前記回転芯２に向かって凹む中央凹部４Ａと、底部外周に沿って凹む環状凹部４Ｂとからなる撹拌凹部４を形成する。これら回転軸２と外底部周囲縁３との接触面でテーブル上に支持されて60゜〜65゜の角度に傾きながら回転するように形成されたグラス本体１を形成する。該グラス本体１と別体に形成され、前記回転軸２を収納する収納凹部６が上面に形成され、グラス本体１の外底部周囲縁３に沿ってグラス本体１を略水平に載置せしめる載置用台５を形成することにより、当初の目的を達成する。
【実施例】
【００２０】
以下、本考案の一実施例を説明する。本考案グラスの基本構成は、通常のワイングラスとして使用されているグラスのステム（脚）に替えて回転軸２を突設し、プレート（台）に替えてグラス本体１と別体に形成した載置用台５を使用するものである。
【００２１】
グラス本体１は、通常のワイングラスと同じ形状に形成してもよく、また、独自の形状に形成することも可能であるが、少なくともスワリングを行えるグラス本体１を形成する。
【００２２】
回転軸２は、グラス本体１の底部中央に突設した略逆円錐形状を成すもので、この回転軸２をテーブル上に載置すると、該回転軸２とグラス本体１の外底部周囲縁３とでグラス本体１が傾くように形成している。
【００２３】
図示例では、回転軸２の接触面を略球面状に形成すると共に、外底部周囲縁３の接触面を断面略円弧形状に形成することで、グラス本体１に回転付勢力を与えたときに、グラス本体１の回転運動が持続するようにしている。
【００２４】
そして、これら回転軸２の接触面と外底部周囲縁３の接触面とで支持されたグラス本体１の傾きが50゜〜70゜の範囲内になるように形成することで、回転時にワインやウィスキーなどがこぼれ難くなり、特に、ワインのスワリング効果が期待できるものである。実験では、グラス本体１の傾きが50゜以下になると、グラス本体１回転時にワインがこぼれ易くなる。また、グラス本体１の傾きが70゜を超えると十分なスワリングができなくなる。更に実験の結果、グラス本体１の傾きを60゜〜65゜に形成したときが、通常のスワリングに最も近い運動となることがわかった。しかもこの角度は、グラス本体１からワインがこぼれずに回転運動が持続する最適な角度になっている。
【００２５】
グラス本体１の底部内がわには撹拌凹部４が形成されている。この撹拌凹部４は、底部中央から前記回転芯２に向かって凹む中央凹部４Ａと、底部外周に沿って凹む環状凹部４Ｂとからなる。この撹拌凹部４は、グラス本体１を回転させたときに、グラス本体１内の液体を効果的に撹拌することができるもので、特に、ワインのスワリング効果を高め、氷の移動時にグラスにぶつかって心地よい音を効果的に響かせることができる構造になっている。
【００２６】
載置用台５は、グラス本体１と別体に形成されるもので、グラス本体１の回転軸２を収納する収納凹部６が載置用台５の上面に形成されている。そして、この収納凹部６に回転軸２を差し込んで、グラス本体１を略水平に載置するものである。図示例では、グラス本体１の外底部周囲縁３に沿ってグラス本体１を略水平に載置せしめる平面略円形状の載置用台５を示しているが、この他、載置用台５の上面に突起を設けてグラス本体１を支持するなど、グラス本体１を載置できる形状であればよいものである。
【００２７】
尚、本考案のグラス本体１や回転軸２及び外底部の形状は図示例に限られるものではなく、グラス本体１を単独で使用することも可能である。また、載置用台５の形状も回転軸２を挿入する収納凹部６が形成されるものであれば、その他の寸法や形状等の設計変更等は、本考案の要旨を変更しない範囲において自由に変更できるものである。したがって、グラス本体１は、ワイングラスやウィスキー用グラスなどに限定されず、他の飲料用グラスとしても使用することが可能である。
【図面の簡単な説明】
【００２８】
【図１】本考案のグラス本体をテーブル上に載置した状態を示す側断面図である。
【図２】本考案のグラス本体を載置用台上に載置した状態を示す側断面図である。
【符号の説明】
【００２９】
１  グラス本体
２  回転軸
３  外底部周囲縁
４  撹拌凹部
４Ａ  中央凹部
４Ｂ  環状凹部
５  載置用台
６  収納凹部
【図１】
0003144965.tif 000003
【図２】
0003144965.tif 000004